(57)【要約】【課題】送信用信号経路からアンテナ側スイッチを介して受信用信号経路に漏れ出した高周波信号が、正帰還されることを防止でき、電力増幅器の異常動作を確実に防止すること。【解決手段】送受信装置において、アンテナ１と、入出力端子Ｔａを有する集積回路３と、入出力切替部１０とを備える。入出力切替部１０は、電力増幅器６が設けられた送信用信号経路４と、送信用信号経路４に対して並列に配置された受信用信号経路５と、アンテナ１を前記送信用信号経路又は前記受信用信号経路に選択的に接続する半導体スイッチで構成された第１のスイッチＳＷ１と、前記入出力端子を前記送信用信号経路又は前記受信用信号経路に選択的に接続する半導体スイッチで構成された第２のスイッチＳＷ２と、前記受信用信号経路に設けられ、送信の際には送受信信号に対する減衰量を大きくし、受信の際には送受信信号に対する減衰量を小さくするストリップライン２１とを有する。【選択図】図３
2011239175.tif 000002
【特許請求の範囲】
【請求項１】
送受信兼用のアンテナに接続可能なアンテナ端子と、
送受信兼用の入出力端子を有する集積回路と、
前記アンテナ端子と前記入出力端子との間に設けられる入出力切替回路とを備え、
前記入出力切替回路は、
前記入出力端子から送出された高周波送信信号を前記アンテナ端子へ伝搬させる伝搬路を形成し、該伝搬路中に前記高周波送信信号を増幅させる電力増幅器が設けられた送信用信号経路と、
前記送信用信号経路に対して絶縁状態を保持したまま並列に配置され、前記アンテナ端子から送出された高周波受信信号を前記入出力端子へ伝搬させる伝搬路を形成する受信用信号経路と、
前記アンテナ端子を前記送信用信号経路又は前記受信用信号経路に選択的に接続する半導体スイッチで構成された第１のスイッチと、
前記入出力端子を前記送信用信号経路又は前記受信用信号経路に選択的に接続する半導体スイッチで構成された第２のスイッチと、
前記受信用信号経路に設けられ、送信の際には送受信信号に対する減衰量を大きくすると共に、受信の際には送受信信号に対する減衰量を小さくする減衰可変回路と、を有することを特徴とする送受信装置。
【請求項２】
前記減衰可変回路は、一端が前記第１のスイッチの一方の端子に接続され、他端が前記第２のスイッチの一方の端子に接続されたインピーダンス変換素子を含んでなり、前記インピーダンス変換素子は、送信の際に前記第１及び第２のスイッチからオフされて前記受信用信号経路にインピーダンスのミスマッチを発生させることを特徴とする請求項１記載の送受信装置。
【請求項３】
前記インピーダンス変換素子が送受信される信号の波長に対してλ／４の長さのストリップラインであることを特徴とする請求項２記載の送受信装置。
【請求項４】
前記減衰可変回路は、前記受信用信号経路とグランド間に設けられた第３のスイッチを有し、
送信の際には、前記第１のスイッチによって前記アンテナ端子と前記送信信号用信号経路とを接続し、前記第２のスイッチによって前記送信用信号経路と前記入出力端子とを接続し、前記第３のスイッチによって前記受信用信号経路と前記グランドとを接続し、
受信の際には、前記第１のスイッチによって前記アンテナ端子と前記受信用信号経路とを接続し、前記第２のスイッチによって前記受信用信号経路と前記入出力端子とを接続し、前記第３のスイッチによって前記受信用信号経路と前記グランドとを切断することを特徴とする請求項１記載の送受信装置。
【請求項５】
前記減衰可変回路は、一端が前記受信用信号経路に接続され、送受信される信号の波長に対してλ／４の長さを有するストリップラインと、
前記ストリップラインの他端とグランド間に設けられた第３のスイッチとを有し、
送信の際には、前記第１のスイッチによって前記アンテナ端子と前記送信信号用信号経路とを接続し、前記第２のスイッチによって前記送信用信号経路と前記入出力端子とを接続し、前記第３のスイッチによって前記ストリップラインの他端を開放し、
受信の際には、前記第１のスイッチによって前記アンテナ端子と前記受信用信号経路とを接続し、前記第２のスイッチによって前記受信用信号経路と前記入出力端子とを接続し、前記第３のスイッチによって前記ストリップラインの他端を接地することを特徴とする請求項１記載の送受信装置。
【発明の詳細な説明】
【技術分野】
【０００１】
本発明は、送信回路及び受信回路を内蔵した集積回路に送受信兼用の入出力端子を設け、集積回路の入出力端子とアンテナとの間に送信用信号経路と受信用信号経路とを並列に配置し、アンテナと集積回路との間に投入される信号経路をスイッチで切り替え可能にした送受信装置に関する。
【背景技術】
【０００２】
従来、無線通信モジュールの送信回路及び受信回路が集積回路化された送受信装置がある。集積回路に内蔵される電力増幅器はパワーが制限される。そのため、ハイパワー用途の無線通信モジュールの場合、集積回路の外部に電力増幅器が配置されるものがある（例えば、特許文献１参照）。
【０００３】
図７は、送信用の電力増幅器が集積回路の外部に配置された送受信装置の部分的な構成図である。同図に示す送受信装置は、アンテナ１と、送受信兼用のフィルタ回路２と、送信回路及び受信回路を内蔵した集積回路３とを備えている。集積回路３は、送受信兼用の入出力端子Ｔａと制御信号用の出力端子Ｔｃとを有している。集積回路３の入出力端子Ｔａとフィルタ回路２との間に送信用信号経路４と受信用信号経路５とが並列に配置されている。送信用信号経路４には送信用の電力増幅器６が設けられている。並列に配置された送信用信号経路４及び受信用信号経路５の前後にはスイッチＳＷ１、ＳＷ２が設けられており、スイッチＳＷ１、ＳＷ２を同側へ同期して切り換えることで、送信用信号経路４又は受信用信号経路５を選択的に切り替えられる。
【０００４】
送信時は、集積回路３からスイッチＳＷ１、ＳＷ２へコントロール信号を与えて、送信用信号経路４をアンテナ１−集積回路３間の信号経路へ投入するように接続を切替える。また、受信時は、集積回路３からスイッチＳＷ１、ＳＷ２へコントロール信号を与えて、受信用信号経路５をアンテナ１−集積回路３間の信号経路へ投入するように接続を切替える。
【先行技術文献】
【特許文献】
【０００５】
【特許文献１】特開２００２−１８５３５４号公報
【発明の概要】
【発明が解決しようとする課題】
【０００６】
しかしながら、上記従来の送受信装置は、送信用信号経路と受信用信号経路とを切り替えるスイッチのアイソレーション状態と送信用の電力増幅器のゲインによっては電力増幅器が異常動作する可能性があった。
【０００７】
具体的に、図７に例示される送受信装置における電力増幅器の異常動作について説明する。スイッチＳＷ１、ＳＷ２によって送信用信号経路４を信号経路に投入している場合、図８に示すように、電力増幅器６の出力をアンテナ側へ伝えるスイッチＳＷ１において電力増幅器６から増幅出力される高周波信号の一部が受信用信号経路５へ漏れる。高周波用の半導体スイッチは絶縁特性に限界があるため、高周波信号の漏れを完全に防ぐことは難しい。受信用信号経路５へ漏れた高周波信号はもう一方のスイッチＳＷ２から送信用信号経路４側へ漏れだして電力増幅器６の入力へ帰還される。このように、電力増幅器６の出力する高周波信号の一部が正帰還されることによって、電力増幅器６の動作が不安定化する問題がある。
【０００８】
本発明は、かかる点に鑑みてなされたものであり、送信用信号経路に設けられた電力増幅器からアンテナ側のスイッチを介して受信用信号経路に漏れ出した高周波信号が、受信用信号経路及び集積回路側のスイッチを介して正帰還されることを防止でき、電力増幅器の異常動作を確実に防止できる送受信装置を提供することを目的とする。
【課題を解決するための手段】
【０００９】
本発明の送受信装置は、送受信兼用のアンテナに接続可能なアンテナ端子と、送受信兼用の入出力端子を有する集積回路と、前記アンテナ端子と前記入出力端子との間に設けられる入出力切替回路とを備える。前記入出力回路は、前記入出力端子から送出された高周波送信信号を前記アンテナ端子へ伝搬させる伝搬路を形成し、該伝搬路中に前記高周波送信信号を増幅させる電力増幅器が設けられた送信用信号経路と、前記送信用信号経路に対して絶縁状態を保持したまま並列に配置され、前記アンテナ端子から送出された高周波受信信号を前記入出力端子へ伝搬させる伝搬路を形成する受信用信号経路と、前記アンテナ端子を前記送信用信号経路又は前記受信用信号経路に選択的に接続する半導体スイッチで構成された第１のスイッチと、前記入出力端子を前記送信用信号経路又は前記受信用信号経路に選択的に接続する半導体スイッチで構成された第２のスイッチと、前記受信用信号経路に設けられ、送信の際には送受信信号に対する減衰量を大きくすると共に、受信の際には送受信信号に対する減衰量を小さくする減衰可変回路と、を有することを特徴とする。
【００１０】
この構成によれば、送信の際には送受信信号に対する減衰量を大きくすると共に、受信の際には送受信信号に対する減衰量を小さくする減衰可変回路を受信用信号経路に設けたので、送信時に第１のスイッチから受信用信号経路に漏れ出す高周波送信信号を減衰させることができ、受信用信号経路を経由して送信用信号経路に回り込む高周波送信信号による正帰還を抑制して電力増幅器の異常動作を確実に防止できる。
【００１１】
また本発明は、上記送受信装置において、前記減衰可変回路は、一端が前記第１のスイッチの一方の端子に接続され、他端が前記第２のスイッチの一方の端子に接続されたインピーダンス変換素子を含んでなり、前記インピーダンス変換素子は、送信の際に前記第１及び第２のスイッチからオフされて前記受信用信号経路にインピーダンスのミスマッチを発生させることを特徴とする。
【００１２】
この構成により、送信の際にインピーダンス変換素子が第１及び第２のスイッチからオフされて受信用信号経路にインピーダンスのミスマッチを発生させるので、送信時に第１のスイッチから漏れ出して受信用信号経路を伝搬する高周波送信信号をミスマッチロスにより減衰させることができ、正帰還による電力増幅器の異常動作を確実に防止できる。
【００１３】
上記送受信装置において、前記インピーダンス変換素子を、送受信される信号の波長に対してλ／４の長さのストリップラインで構成しても良い。
【００１４】
また本発明は、上記送受信装置において、前記減衰可変回路は、前記受信用信号経路とグランド間に設けられた第３のスイッチを有し、送信の際には、前記第１のスイッチによって前記アンテナ端子と前記送信信号用信号経路とを接続し、前記第２のスイッチによって前記送信用信号経路と前記入出力端子とを接続し、前記第３のスイッチによって前記受信用信号経路と前記グランドとを接続し、受信の際には、前記第１のスイッチによって前記アンテナ端子と前記受信用信号経路とを接続し、前記第２のスイッチによって前記受信用信号経路と前記入出力端子とを接続し、前記第３のスイッチによって前記受信用信号経路と前記グランドとを切断することを特徴とする。
【００１５】
この構成によれば、送信の際に第３のスイッチによって受信用信号経路とグランドとを接続するので、送信時に第１のスイッチから漏れ出して受信用信号経路を伝搬する高周波送信信号をグランドに流して減衰させることができる。
【００１６】
また本発明は、上記送受信装置において、前記減衰可変回路は、一端が前記受信用信号経路に接続され、送受信される信号の波長に対してλ／４の長さを有するストリップラインと、前記ストリップラインの他端とグランド間に設けられた第３のスイッチとを有し、送信の際には、前記第１のスイッチによって前記アンテナ端子と前記送信信号用信号経路とを接続し、前記第２のスイッチによって前記送信用信号経路と前記入出力端子とを接続し、前記第３のスイッチによって前記ストリップラインの他端を開放し、受信の際には、前記第１のスイッチによって前記アンテナ端子と前記受信用信号経路とを接続し、前記第２のスイッチによって前記受信用信号経路と前記入出力端子とを接続し、前記第３のスイッチによって前記ストリップラインの他端を接地することを特徴とする。
【００１７】
この構成によれば、送信の際には第３のスイッチによって前記ストリップラインの他端を開放するので、ストリップラインは送受信信号が入力するとオープンスタブとして機能し、オープンスタブの付け根が送受信信号の中心周波数において高周波的に接地されているとみなすことが出来るので、受信用信号経路は高周波的に接地される。その結果、第１のスイッチを介して漏れ出して受信用信号経路へ入力する高周波送信信号が、オープンスタブとして機能するストリップラインを介してグランドに流れ、受信用信号経路を伝搬する電力は大幅に減衰される。
【発明の効果】
【００１８】
本発明によれば、送信用信号経路に設けられた電力増幅器からアンテナ側のスイッチを介して受信用信号経路に漏れ出した高周波信号が、受信用信号経路及び集積回路側のスイッチを介して正帰還されることを防止でき、電力増幅器の異常動作を確実に防止できる。
【図面の簡単な説明】
【００１９】
【図１】第１の実施の形態に係る送受信装置の構成図
【図２】第１の実施の形態の送受信装置における入出力切替部のパターン配置図
【図３】第２の実施の形態に係る送受信装置の構成図
【図４】第２の実施の形態の送受信装置における入出力切替部のパターン配置図
【図５】第２の実施の形態での受信用信号経路のインピーダンスに対するミスマッチロスを計算した数値例を示す図
【図６】第３の実施の形態に係る送受信装置の構成図
【図７】従来の送受信装置の構成図
【図８】従来の送受信装置での電力増幅器の異常動作について説明するための図
【発明を実施するための形態】
【００２０】
以下、本発明の実施の形態について添付図面を参照して詳細に説明する。
図１は本発明の第１の実施の形態に係る送受信装置の構成図である。図７に示す送受信装置と同一機能を有する各部は同一符号を付している。
【００２１】
本実施の形態に係る送受信装置は、送受信兼用のアンテナ１と、送受信兼用のフィルタ回路２と、送信回路及び受信回路を内蔵した集積回路３と、入出力切替部１０とを備えて構成される。入出力切替部１０は、アンテナ１の給電端（フィルタ回路２）と集積回路３の入出力端子Ｔａとの間に設けられている。入出力切替部１０は、集積回路３の入出力端子Ｔａから出力された高周波送信信号をアンテナ１側へ伝搬させる送信用信号経路４と、送信用信号経路４から絶縁されていてアンテナ１の給電端から出力される高周波受信信号を集積回路３の入出力端子Ｔａ側へ伝搬させる受信用信号経路５とを有する。送信用信号経路４及び受信用信号経路５の各アンテナ側端部には、第１の半導体スイッチとなるスイッチＳＷ１の選択端子が接続され、送信用信号経路４及び受信用信号経路５の各集積回路側端部には、第２の半導体スイッチとなるスイッチＳＷ２の選択端子が接続されている。送信用信号経路４には電力増幅器６が接続されている。
【００２２】
本実施の形態では、受信用信号経路５とグランドとの間に第３のスイッチであるダイオードスイッチ１１が接続されている。ダイオードスイッチ１１は、ＰＩＮダイオードで構成されており、アノードが直流カットコンデンサ１２を介して受信用信号経路５に接続され、カソードがグランドに接続されている。ダイオードスイッチ１１のアノードは電流制限用の抵抗１３を介して集積回路３の制御信号用の出力端子Ｔｃに接続されている。
【００２３】
図２は入出力切替部１０のパターン配置図である。アンテナ側のスイッチＳＷ１の一方の選択端子ＳＷ１ａが電力増幅器６の出力端に接続され、もう一方の端子ＳＷ１ｂが受信用信号経路５のアンテナ側端部に接続されている。集積回路側のスイッチＳＷ２の一方の選択端子ＳＷ２ａが電力増幅器６の入力端に接続され、もう一方の端子ＳＷ２ｂが受信用信号経路５の集積回路側端部に接続されている。
【００２４】
次に、以上のように構成された本実施の形態の動作について説明する。
送信時には、集積回路３の制御信号用の出力端子Ｔｃからハイレベルのコントロール信号が出力される。ハイレベルのコントロール信号により、スイッチＳＷ１が選択端子ＳＷ１ａを選択して電力増幅器６の出力端をフィルタ回路２の入出力端子へ接続され、スイッチＳＷ２が選択端子ＳＷ２ａを選択して集積回路３の入出力端子Ｔａへ接続され、受信用信号経路５はアンテナ１と集積回路３との間の信号経路から切り離される。集積回路３の入出力端子Ｔａから出力される高周波送信信号はスイッチＳＷ２から電力増幅器６の入力端に供給され、電力増幅器６から出力される高周波送信信号がスイッチＳＷ１を介してフィルタ回路２へ供給される。
【００２５】
このとき、スイッチＳＷ１を介してフィルタ回路２へ供給される高周波送信信号の一部がスイッチＳＷ１の選択端子ＳＷ１ａからもう一方の選択端子ＳＷ１ｂへ漏れ出したものとする。その結果、送信時には、スイッチＳＷ１の選択端子ＳＷ１ａ−ＳＷ１ｂ間を介して受信用信号経路５へ高周波送信信号が伝搬する。一方、送信時には、ダイオードスイッチ１１のアノードに対して集積回路３の制御信号用の出力端子Ｔｃから出力されているハイレベルのコントロール信号が印加されている。したがって、スイッチＳＷ１、ＳＷ２によって送信用信号経路４が選択されている送信期間中は、受信用信号経路５がダイオードスイッチ１１を介して接地された状態となっている。このため、送信期間中に送信用信号経路４から受信用信号経路５へ漏れ出す高周波送信信号はダイオードスイッチ１１を介してグランドに流すことができる。よって、送信期間中に送信用信号経路４から受信用信号経路５へ高周波送信信号が漏れ出したとしても、受信用信号経路５を伝搬する途中で十分に減衰させることができ、電力増幅器６への正帰還を抑制することができ、電力増幅器６の異常動作を確実に防止できる。
【００２６】
受信時には、集積回路３の制御信号用の出力端子Ｔｃからローレベルのコントロール信号が出力される。ローレベルのコントロール信号により、スイッチＳＷ１が選択端子ＳＷ１ｂを選択して受信用信号経路５の入力端がフィルタ回路２の入出力端子へ接続され、スイッチＳＷ２が選択端子ＳＷ２ｂを選択して受信用信号経路５の出力端が集積回路３の入出力端子Ｔａへ接続され、送信用信号経路４はアンテナ１と集積回路３との間の信号経路から切り離される。アンテナ１で受信された受信信号はフィルタ回路２を経由してスイッチＳＷ１の選択端子ＳＷ１ｂから受信用信号経路５へ入力される。
【００２７】
このとき、ダイオードスイッチ１１のアノードに対して集積回路３の制御信号用の出力端子Ｔｃから出力されているローレベルのコントロール信号が印加されている。したがって、ダイオードスイッチ１１はオフしたままであるので、受信用信号経路５からダイオードスイッチ１１を介してグランドに接続するパスはオープン状態となる。よって、スイッチＳＷ１から受信用信号経路５へ入力された受信信号は、僅かな減衰だけで伝搬してスイッチＳＷ２から集積回路３の入出力端子Ｔａへ入力される。
【００２８】
なお、受信時に、フィルタ回路２から出力される高周波受信信号の信号レベルは、送信時の送信パワーに比べて大幅に小さいので、スイッチＳＷ１での送信用信号経路４への漏れ出しは影響を無視できるほど小さい。
【００２９】
このように、本実施の形態によれば、送信期間中は信号経路から切り離された受信用信号経路５を接地するので、送信用信号経路４から受信用信号経路５へ漏れ出す高周波送信信号はダイオードスイッチ１１を介してグランドに流すことができ、電力増幅器６への正帰還を抑制でき、電力増幅器６の異常動作を確実に防止できる。
【００３０】
次に、本発明の第２の実施の形態に係る送受信装置について説明する。
第２の実施の形態に係る送受信装置は、受信用信号経路においてインピーダンスのミスマッチを利用して、送信時の高周波送信信号の電力増幅器への回り込みを減らすようにしている。
【００３１】
図３は本発明の第２の実施の形態に係る送受信装置の構成図であり、図４は第２の実施の形態に係る送受信装置の信号切替部の平面図である。図７に示す送受信装置と同一機能を有する各部は同一符号を付している。送信用信号経路４は、上述した第１の実施の形態における送信用信号経路４と同一構成である。
【００３２】
本実施の形態は、受信用信号経路５をインピーダンス変換素子として機能するストリップライン２１で構成している。本例では、ストリップライン２１が高周波送信信号のλ／４に設定されているが、後述するインピーダンスのミスマッチロスが生じればλ／４に限定されるものではない。また、ストリップライン２１は、多層基板の内層に設けることで小型化することができる。周囲の誘電率が高いと、波長が短縮される効果があり、多層基板の誘電率は、空気に比較すれば高いので、多層基板の内層に設けることはストリップライン２１を短縮化する観点から好ましい。ストリップライン２１のアンテナ側の端部はスイッチＳＷ１の選択端子ＳＷ１ｂに接続され、ストリップライン２１の集積回路側の端部はスイッチＳＷ２の選択端子ＳＷ２ｂに接続されている。
【００３３】
また、スイッチＳＷ１，ＳＷ２は、第１の実施の形態と同様の半導体スイッチで構成されている。２つのスイッチＳＷ１，ＳＷ２は、同一特性のものを用いている。たとえば、同一メーカから供給される同一仕様の半導体デバイスは同一特性であるとみなすことができる。一般に、半導体スイッチは、オン側の選択端子は正規化インピーダンス（例えば、５０Ω）であるが、オフ側の選択端子は正規化インピーダンスよりも高インピーダンス側又は低インピーダンス側にインピーダンスが変化している。図３に示すように、スイッチＳＷ１を選択端子ＳＷ１ａ側に接続して、ストリップライン側の選択端子ＳＷ１ｂがオフ状態（オープン）の場合、このオープン側の選択端子ＳＷ１ｂとグランド間のインピーダンスは正規化インピーダンスよりも高インピーダンス又は低インピーダンス状態となっている（スイッチにより高側又は低側にずれるか決まる）。
【００３４】
図３に示すスイッチＳＷ１，ＳＷ２の切替え状態において、ストリップライン２１のＢ点（集積回路側の端部）からＡ点（アンテナ側の端部）を見た時のインピーダンスＲは、ストリップライン２１の特性インピーダンスを５０Ω、スイッチＳＷ１，ＳＷ２のオフ側の選択端子ＳＷ１ｂ，ＳＷ２ｂとグランド間のインピーダンスをＲｆとしたとき、Ｒ＝５０×５０／Ｒｆとなる。ストリップライン２１のＢ点から集積回路側を見たインピーダンスはＲｆであるので、Ａ点側のスイッチＳＷ１から漏れた電力（高周波送信信号）がストリップライン２１を通ってＢ点側のスイッチＳＷ２に伝わる際に、Ｂ点における大きなミスマッチロスが発生する。
【００３５】
図５はストリップライン２１のＢ点から集積回路側を見たインピーダンスＲｆを５〜５００までの間の５段階に分けて、各段階のインピーダンスに対するミスマッチロスを計算した数値である。８ｄＢから１４ｄＢ程度の電力減衰が発生している。
【００３６】
以上のように構成された送受信装置では、送信時にスイッチＳＷ２が選択端子ＳＷ２ａを選択して集積回路３の入出力端子Ｔａへ接続され、受信用信号経路５はアンテナ１と集積回路３との間の信号経路から切り離される。集積回路３の入出力端子Ｔａから出力される高周波送信信号はスイッチＳＷ２から電力増幅器６の入力端に供給され、電力増幅器６から出力される高周波送信信号がスイッチＳＷ１を介してフィルタ回路２へ供給される。
【００３７】
このとき、スイッチＳＷ１を介してフィルタ回路２へ供給される高周波送信信号の一部がスイッチＳＷ１の選択端子ＳＷ１ａからもう一方の選択端子ＳＷ１ｂへ漏れ出したものとする。送信時には、スイッチＳＷ１，ＳＷ２のオフ側の選択端子ＳＷ１ｂ、ＳＷ２ｂはインピーダンスＲｆが高インピーダンス側又は低インピーダンス側に変化するので、ストリップライン２１のＢ点からＡ点側をみたインピーダンスと、Ｂ点から集積回路側をみたインピーダンスＲｆとが大きく異なっている。このため、ストリップライン２１のＡ点からＢ点側に向けて伝搬した電力（高周波送信信号）はＢ点におけるミスマッチロスにより大きく減衰される。その結果、受信用信号経路５を経由して送信用信号経路４の電力増幅器６の入力端子へ正帰還される電力は大幅に減衰される。
【００３８】
このように本実施の形態によれば、送信時にのみインピーダンス変換素子として機能するストリップライン２１によるインピーダンスのミスマッチロスを利用して、送信用信号経路４から受信用信号経路５への周り込み電力を減衰させるので、送信用信号経路４の電力増幅器６の入力端子へ正帰還される電力を減衰でき、電力増幅器６の異常動作を防止できる。
【００３９】
次に、本発明の第３の実施の形態に係る送受信装置について説明する。
第３の実施の形態に係る送受信装置は、受信用信号経路において送信時にはオープンスタブとして機能し、受信時にはショートスタブとして機能するストリップラインを設けた例である。
【００４０】
図６は本発明の第３の実施の形態に係る送受信装置の構成図である。図７に示す送受信装置と同一機能を有する各部は同一符号を付している。送信用信号経路４は、上述した第１の実施の形態における送信用信号経路４と同一構成である。
【００４１】
受信用信号経路５に対して、送受信信号のλ／４の長さを有するストリップライン３１の一端が接続されている。ストリップライン３１の他端は直流カットコンデンサ３２を介してダイオードスイッチ３３のアノードに接続されている。ダイオードスイッチ３３のカソードはグランドに接続されている。ダイオードスイッチ３３のアノードは電流制限用の抵抗３４を介して制御信号用の出力端子Ｔｃに接続されている。ダイオードスイッチ３３をオフさせればストリップライン３１がオープンスタブとして動作し、ダイオードスイッチ３３をオンさせればストリップライン３１がショートスタブとして動作する。
なお、第１、第２の実施の形態とは異なり、集積回路３は、送信時にはローレベルのコントロール信号を出力端子Ｔｃから出力し、受信時にはローレベルのコントロール信号を出力端子Ｔｃから出力する。スイッチＳＷ１，ＳＷ２はローレベルのコントロール信号によって送信用信号経路４を選択し、ハイレベルのコントロール信号によって受信用信号経路５を選択する。
【００４２】
以上のように構成された送受信装置では、送信時にはスイッチＳＷ２が選択端子ＳＷ２ａを選択して集積回路３の入出力端子Ｔａへ接続され、受信用信号経路５はアンテナ１と集積回路３との間の信号経路から切り離される。集積回路３の入出力端子Ｔａから出力される高周波送信信号はスイッチＳＷ２から電力増幅器６の入力端に供給され、電力増幅器６から出力される高周波送信信号がスイッチＳＷ１を介してフィルタ回路２へ供給される。
【００４３】
このとき、集積回路３の制御信号用の出力端子Ｔｃから出力されているローレベルのコントロール信号がアノードに印加されたダイオードスイッチ３３はオフするので、ストリップライン３１は送受信信号が入力するとオープンスタブとして機能する。λ／４のオープンスタブの付け根は、中心周波数において高周波的に接地されているとみなすことが出来るので、受信用信号経路５は高周波的に接地されている。したがって、送信時には、スイッチＳＷ１を介してフィルタ回路２へ供給される高周波送信信号の一部がスイッチＳＷ１の選択端子ＳＷ１ａからもう一方の選択端子ＳＷ１ｂへ漏れ出して受信用信号経路５へ入力するが、オープンスタブとして機能するストリップライン３１を介してグランドに流れ、受信用信号経路５を伝搬する電力は大幅に減衰される。その結果、送信時に送信用信号経路４の電力増幅器６の入力端子へ正帰還される電力を減衰でき、電力増幅器６の異常動作を防止できる。
【００４４】
受信時には、集積回路３の制御信号用の出力端子Ｔｃからハイレベルのコントロール信号が出力される。ハイレベルのコントロール信号により、スイッチＳＷ１が選択端子ＳＷ１ｂを選択して受信用信号経路５の入力端がフィルタ回路２の入出力端子へ接続され、スイッチＳＷ２が選択端子ＳＷ２ｂを選択して受信用信号経路５の出力端が集積回路３の入出力端子Ｔａへ接続され、送信用信号経路４はアンテナ１と集積回路３との間の信号経路から切り離される。
【００４５】
アンテナ１で受信された受信信号はフィルタ回路２を経由してスイッチＳＷ１の選択端子ＳＷ１１ｂから受信用信号経路５へ入力される。
【００４６】
このとき、受信用信号経路５では、ハイレベルのコントロール信号が印加されたダイオードスイッチ３３がオンしている。ストリップライン３１はダイオードスイッチ３３によって一端が高周波的に設置されており、送受信信号が入力するとショートスタブとして機能する。ショートスタブは送受信信号に対してインピーダンスが無限大となるので、バンドパスフィルタとして機能し、受信信号は僅かな減衰だけでスイッチＳＷ２から集積回路３の入出力端子Ｔａへ入力される。
【００４７】
このように本実施の形態によれば、受信用信号経路に、送信時にはオープンスタブとして機能し、受信時にはショートスタブとして機能するλ／４のストリップライン３１を設けたので、送信時には送信用信号経路４の電力増幅器６の入力端子へ正帰還される電力を減衰でき、受信時には低い減衰で集積回路３へ入力できる。
なお、本発明は上述した実施の形態限定されるものではない。たとえば、送信（ＴＸ）側と受信側（ＲＸ）にフィルタを設けた構成としても良い。
【符号の説明】
【００４８】
１  アンテナ
２  フィルタ回路
３  集積回路
４  送信用信号経路
５  受信用信号経路
６  電力増幅器
１０  入出力切替部
１１  ダイオードスイッチ
２１、３１  ストリップライン
ＳＷ１，ＳＷ２  スイッチ
Ｔａ  入出力端子
Ｔｃ  出力端子
【図１】
2011239175.tif 000003
【図２】
2011239175.tif 000004
【図３】
2011239175.tif 000005
【図４】
2011239175.tif 000006
【図５】
2011239175.tif 000007
【図６】
2011239175.tif 000008
【図７】
2011239175.tif 000009
【図８】
2011239175.tif 000010